(57)【要約】【課題】収納カセットに係合部を取り付ける際に、目的とする取付位置に間違いなく取り付けることができるようにする。【解決手段】収納カセット３５の左側面に設けられた、突起状係合部４２を取り付ける為の４箇所の取付部４４の上方に、突起状係合部４２の取付位置を示すシール４０を貼り付けるようにした。このシール４０には、収納カセット３５の種類と、４箇所の取付部４４との対応関係が示されていて、目的とする種類の収納カセット３５に対応する取付部４４がどこなのかを一目で確認できるようになっている。これにより、作業者は、このシール４０に従って突起状係合部４２を取り付けることで、目的とする収納カセット３５の種類に対応する取付位置に間違いなく突起状係合部４２を取り付けることができる。【選択図】図８
2015040113.tif 000002
【特許請求の範囲】
【請求項１】
媒体を収納する複数種類の収納カセットと、
上記複数種類の収納カセットのうち、対応する種類の収納カセットのみを装着可能な複数のカセット装着部と
を有し、
上記複数種類の収納カセットは、上記カセット装着部と係合する係合部が外面に着脱自在に取り付けられるようになっていると共に、当該係合部の取付位置が種類ごとに異なっていて、さらに当該外面に、収納カセットの種類と当該種類に対応する取付位置とを示す標識部が設けられている
媒体収納装置。
【請求項２】
上記標識部は、
上記収納カセットの外面に張り付けられるシールである
請求項１に記載の媒体収納装置。
【請求項３】
上記収納カセットの外面には、上記収納カセットの種類のそれぞれに対応する複数の取付位置が配置され、
上記標識部は、上記複数の取付位置の近傍に設けられている
請求項１に記載の媒体収納装置。
【請求項４】
上記標識部は、上記収納カセット全種類で共通であり、上記複数の取付位置のそれぞれと隣接する複数の位置に、隣接する取付位置に対応する収納カセットの種類を示す識別子が記されている
請求項３に記載の媒体収納装置。
【請求項５】
上記標識部は、上記収納カセットの種類ごとに異なっていて、上記収納カセットの種類を示す識別子が所定の位置に記されていると共に、上記複数の取付位置のそれぞれと隣接する複数の箇所にマークが記され、さらに複数のマークのうち、上記収納カセットの種類に対応する取付位置と隣接する箇所のマークが、他の箇所のマークとは異なる形態となっている
請求項３に記載の媒体収納装置。
【請求項６】
上記マークは、上記複数の取付位置のそれぞれに設けられた取付用のネジ孔を模したネジマークであり、上記収納カセットの種類に対応する取付位置と隣接する箇所のネジマークのみが、ネジが挿入された状態のネジ孔を模したものとなっている
請求項５に記載の媒体収納装置。
【請求項７】
上記標識部は、上記収納カセットの種類ごとに異なっていて、上記収納カセットの種類を示す識別子が所定の位置に記されていると共に、上記複数の取付位置のうち、上記収納カセットの種類に対応する取付位置以外の取付位置を覆う形状となっている
請求項３に記載の媒体収納装置。
【請求項８】
上記収納カセットの外面には、上記収納カセットの種類のそれぞれに対応する複数の取付位置が配置され、
上記標識部は、上記収納カセットの種類ごとに異なっていると共に、上記複数の取付位置の上に重ねて貼り付けられ、上記複数の取付位置のうち、上記収納カセットの種類に対応する取付位置と重なる箇所に、当該取付位置に正しく取り付けられた状態の上記係合部を模した係合部マークが記されている
請求項２に記載の媒体収納装置。
【請求項９】
上記収納カセットの外面には、上記収納カセットの種類のそれぞれに対応する複数の取付位置が配置され、
上記標識部は、全種類共通のシールであり、上記複数の取付位置の上に重ねて貼り付けられ、上記複数の取付位置のそれぞれと重なる複数の箇所に、それぞれの取付位置に対応する収納カセットの種類を示す識別子が記され、
上記係合部は、透ける部材でなり、上記取付位置に取り付けられたときに、当該取付位置と重なる位置に記されている上記識別子が透けて見える
請求項２に記載の媒体収納装置。
【請求項１０】
上記収納カセットの外面には、少なくとも３個以上の複数の取付位置が配置され、当該複数の取付位置のうち、一箇所の取付位置を除く残りの複数の取付位置にそれぞれ係合部が取り付けられるようになっていて、
上記収納カセットは、種類ごとに、複数の取付位置のうち、係合部を取り付ける取付位置が異なっていて、
上記標識部は、上記複数の取付位置の上に重ねて貼り付けられ、上記複数の取付位置のそれぞれと重なる複数の箇所に、それぞれの取付位置に対応する収納カセットの種類を示す識別子が記されていると共に、上記複数の取付位置のそれぞれに設けられた取付用のネジ孔と重なる複数の箇所に、当該ネジ孔を模したネジマークが記されている
請求項２に記載の媒体収納装置。
【請求項１１】
上記複数のカセット装着部は、それぞれ装着可能な種類に対応する取付位置に取り付けられた係合部のみと係合可能な形状をなしていることにより、対応する種類の収納カセットのみを装着可能となっている
請求項１に記載の媒体収納装置。
【発明の詳細な説明】
【技術分野】
【０００１】
本発明は媒体収納装置に関するものであり、例えば紙幣等の媒体を投入して所望の取引を行う現金自動預払機（ＡＴＭ）等に適用して好適なものである。
【背景技術】
【０００２】
従来、金融機関等で使用される現金自動預払機は、顧客などの利用者との取引内容に応じて、例えば利用者に紙幣や硬貨等の現金を入金させ、また利用者へ現金を出金するようになっている。
【０００３】
この現金自動預払機では、入金取引時、利用者が入出金口に紙幣を投入すると、投入された紙幣を鑑別部で鑑別し、鑑別部により正常紙幣と判別された紙幣は一時保留部に搬送して収納する一方、入金に適さない紙幣と判別された紙幣は入出金口へ戻して利用者に返却する。その後、利用者により入金金額が確定されると、一時保留部に収納している紙幣を鑑別部に搬送して金種を鑑別し、その金種に応じた収納カセットへ収納する。
【０００４】
また、このような現金自動預払機として、本体に、収納カセットを着脱自在に装着する為のカセット装着部が設けられ、収納カセットをこのカセット装着部に装着するものがある。
【０００５】
この現金自動預払機では、部品の共通化によるコスト削減等の理由から、複数の収納カセットが、それぞれ同一構成でなり、これら複数の収納カセットを装着する為の複数のカセット装着部も、それぞれ同一構成となっている。この場合、収納カセットは、複数のカセット装着部のいずれにも装着できることになる。
【０００６】
一方で、現金自動預払機では、運用上の理由等により、１つの収納カセットには１種類の紙幣のみが収納され、カセット装着部ごとに、どの金種の紙幣を収納した収納カセットを装着するのかが決まっていることが多い。
【０００７】
ゆえに、現金自動預払機は、カセット装着部のそれぞれに、指定の金種を収納した収納カセットを装着させ、指定の金種以外の金種を収納した収納カセットが装着されないようにすることが望ましい。
【０００８】
そこで、従来の現金自動預払機は、カセット装着部のそれぞれに、装着する収納カセットの種類（すなわち収納される金種）ごとに位置が異なる係合部を設けると共に、収納カセットのそれぞれにも、種類（収納される金種）ごとに位置が異なる係合部を設け、カセット装着部に収納カセットを装着するときに、カセット装着部の係合部の位置と、収納カセットの係合部の位置とが対応する場合（対応する金種が一致する場合）にのみ、収納カセットを装着できるようにしたものが提案されている（例えば特許文献１参照）。
【先行技術文献】
【特許文献】
【０００９】
【特許文献１】特開昭６１−２７７５２３号公報
【発明の概要】
【発明が解決しようとする課題】
【００１０】
ところで、上述した現金自動預払機の場合、複数の収納カセットの構成は共通化されていて、複数の収納カセットには、それぞれ係合部を着脱可能に取り付ける為の取付位置が複数設けられている。そして、収納カセットは、係合部の取付位置を変えるだけでどのカセット装着部にも装着できるようになっている。すなわち、この収納カセットは、係合部の取付位置を変えるだけで、対応する金種を変えることができるようになっている。
【００１１】
この場合、当然のことながら、収納カセットの種類（収納される金種）に対応する正しい取付位置に係合部を取り付ける必要がある。
【００１２】
しかしながら、上述した現金自動預払機では、収納カセットの種類ごとの形状的な差異が係合部の取付位置の違いだけであり小さく、作業者が、係合部を誤った取付位置に取り付けてしまったとしても気付き難い。
【００１３】
この場合、作業者は、係合部の取付位置が誤っている収納カセットを、目的とするカセット装着部に装着しようとしたときにはじめて、この収納カセットがカセット装着部に装着できないことにより、係合部の取付位置が誤っていることに気付く。
【００１４】
このように、従来の現金自動預払機では、収納カセットに取り付ける係合部の取付位置を間違え易く、さらにその間違えに気付き難いという問題があった。
【００１５】
本発明は以上の点を考慮してなされたもので、収納カセットに係合部を取り付ける際に、目的とする取付位置に間違いなく取り付けることのできる媒体収納装置を提案しようとするものである。
【課題を解決するための手段】
【００１６】
かかる課題を解決するため本発明の媒体収納装置においては、媒体を収納する複数種類の収納カセットと、複数種類の収納カセットのうち、対応する種類の収納カセットのみを装着可能な複数のカセット装着部とを有し、複数種類の収納カセットは、カセット装着部と係合する係合部が外面に着脱自在に取り付けられるようになっていると共に、当該係合部の取付位置が種類ごとに異なっていて、さらに当該外面に、収納カセットの種類と当該種類に対応する取付位置とを示す標識部が設けられている。
【００１７】
これにより、収納カセットに設けられている標識部が示す内容にしたがって係合部を取り付けるだけで、係合部を目的とする取付位置に正しく取り付けることができる。
【発明の効果】
【００１８】
本発明によれば、収納カセットに設けられている標識部が示す内容にしたがって係合部を取り付けるだけで、係合部を目的とする取付位置に正しく取り付けることができる。かくして本発明は、収納カセットに係合部を取り付ける際に、目的とする取付位置に間違いなく取り付けることのできる媒体収納装置を実現できる。
【図面の簡単な説明】
【００１９】
【図１】現金自動預払機の構成を示す略線的斜視図である。
【図２】紙幣入出金機の構成を示す略線図である。
【図３】第１の実施の形態による紙幣収納ユニットの構成を示す略線図である。
【図４】第１の実施の形態による収納カセット及びカセット装着部の構成を示す略線的斜視図である。
【図５】第１の実施の形態による突起状係合部及び嵌合部の構成を示す略線図である。
【図６】第１の実施の形態による収納カセットの構成を示す略線図である。
【図７】第１の実施の形態による収納カセットの装着の様子を示す略線図である。
【図８】第１の実施の形態によるシールの構成を示す略線図である。
【図９】左側面用のシールと右側面用シールの違いを示す略線図である。
【図１０】第２の実施の形態による収納カセットの構成を示す略線図である。
【図１１】第２の実施の形態によるシールの構成を示す略線図である。
【図１２】第３の実施の形態による収納カセットの構成を示す略線図である。
【図１３】第３の実施の形態によるシールの構成を示す略線図である。
【図１４】第４の実施の形態による収納カセット及びカセット装着部の構成を示す略線図である。
【図１５】第４の実施の形態による収納カセットの構成を示す略線的斜視図である。
【図１６】突起状係合部の取り付け方を示す略線図である。
【図１７】第４の実施の形態によるシールの構成を示す略線図である。
【図１８】第４の実施の形態によるカセット装着部の構成を示す略線図である。
【図１９】他の実施の形態による収納カセットの構成（１）を示す略線図である。
【図２０】他の実施の形態による収納カセットの構成（２）を示す略線図である。
【図２１】他の実施の形態による収納カセット及びカセット装着部の構成を示す略線図である。
【図２２】他の実施の形態によるシールの構成（１）を示す略線図である。
【図２３】他の実施の形態によるシールの構成（２）を示す略線図である。
【発明を実施するための形態】
【００２０】
以下、発明を実施するための形態（以下実施の形態とする）について、図面を用いて説明する。
【００２１】
［１．第１の実施の形態］
［１−１．現金自動預払機の全体構成］
図１に外観を示すように、現金自動預払機１は、箱状の筐体２を中心に構成され、例えば金融機関等に設置され、利用者との間で入金取引や出金取引等の現金に関する取引を行い得るようになっている。
【００２２】
筐体２は、その前側に利用者が対峙した状態で紙幣の投入やタッチパネルによる操作等をしやすい箇所、すなわち前面の上部から上面に渡る部分が斜めに切り落とされたような形状となっており、この部分に接客部３が設けられている。
【００２３】
接客部３は、利用者との間で現金や通帳等を直接やり取りすると共に、取引に関する情報の通知や操作指示の受付を行うようになっていて、カード入出口４、入出金口５、操作表示部６、テンキー７、及びレシート発行口８が設けられている。
【００２４】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２５】
入出金口５は、利用者が入金する紙幣が投入されると共に、利用者へ出金する紙幣が排出される部分である。また入出金口５は、シャッタを駆動することにより開放又は閉塞するようになされている。因みに紙幣は、例えば長方形の紙で構成されている。
【００２６】
操作表示部６は、取引に際して操作画面を表示するＬＣＤ（Liquid Crystal Display）と、取引の種類の選択、暗証番号や取引金額等を入力するタッチパネルとが一体化されている。
【００２７】
テンキー７は、「０」〜「９」の数字等の入力を受け付ける物理キーであり、暗証番号や取引金額等の入力操作時に用いられる。
【００２８】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２９】
以下では、現金自動預払機１のうち利用者が対峙する側を前側とし、その反対を後側とし、当該前側に対峙した利用者から見て左及び右をそれぞれ左側及び右側とし、さらに上側及び下側を定義して説明する。
【００３０】
ちなみに、筐体２は、前面を覆う前扉２Ａ及び後面を覆う後扉（図示せず）がそれぞれ開閉可能に構成されている。すなわち、筐体２は、利用者との間で現金に関する取引を行う取引動作時には、前扉２Ａ等を閉塞することにより、内部に保有している紙幣や硬貨等を保護する。一方、筐体２は、作業者が保守作業や紙幣の補充・回収作業等を行う作業時には、必要に応じて前扉２Ａ等を開放することにより、内部の各部に対する作業を容易に行わせ得るようになされている。
【００３１】
筐体２内には、現金自動預払機１全体を統括制御する主制御部９や、紙幣に関する種々の処理を行う紙幣入出金機１０等が設けられている。
【００３２】
主制御部９は、図示しないＣＰＵを中心に構成されており、図示しないＲＯＭやフラッシュメモリ等から所定のプログラムを読み出して実行することにより、入金取引や出金取引等の種々の処理を行うようになされている。
【００３３】
また主制御部９は、内部にＲＡＭ、ハードディスクドライブやフラッシュメモリ等でなる記憶部９Ａを有しており、この記憶部９Ａに種々の情報を記憶させるようになされている。
【００３４】
［１−２．紙幣入出金機の構成］
紙幣入出金機１０は、図２に模式的な側面図を示すように、紙幣入出金機筐体１１の内部に紙幣の入金処理や出金処理に関する種々の機構が設けられている。紙幣入出金機１０の各部分は、紙幣制御部１２により制御される。
【００３５】
紙幣制御部１２は、主制御部９と同様、図示しないＣＰＵを中心に構成されており、図示しないＲＯＭやフラッシュメモリ等から所定のプログラムを読み出して実行し、また主制御部９などの他の制御部と連携することにより、紙幣の入金処理や出金処理等、紙幣に関する種々の処理を制御する。
【００３６】
また紙幣制御部１２は、内部にＲＡＭ及びフラッシュメモリ等でなる記憶部（図示せず）を有しており、この記憶部に種々の情報を記憶させるようになっている。
【００３７】
例えば、利用者が現金自動預払機１との間で入金取引を行う場合、紙幣制御部１２は、主制御部９等と連携しながら、操作表示部６を介して所定の操作入力を受け付けた後、入出金口５（図１）のシャッタを開いて入出金部１３内へ紙幣を投入させる。
【００３８】
入出金部１３は、紙幣が投入されると、入出金口５のシャッタを閉じてから紙幣を１枚ずつ取り出し、搬送部１４へ受け渡す。搬送部１４は、紙幣入出金機１０内で紙幣を各部へ搬送し得るようになっていて、受け渡された紙幣を短辺方向に沿って進行させ、鑑別部１５へ搬送する。
【００３９】
鑑別部１５は、その内部で紙幣を搬送しながら当該紙幣の金種及び真偽、並びに損傷の程度等を鑑別し、その鑑別結果を紙幣制御部１２へ通知する。この鑑別結果に基づいて紙幣制御部１２は、紙幣の搬送先を決定する。
【００４０】
このとき搬送部１４は、鑑別部１５によって正常と鑑別された紙幣（いわゆる正券）を一時保留部１６へ搬送する等して一時的に保留させる一方、取引すべきでないと鑑別された紙幣（いわゆる損券や偽券等）については入出金部１３へ搬送して利用者に返却する。
【００４１】
その後、紙幣制御部１２は、操作表示部６（図１）を介して利用者に入金金額を確定させ、一時保留部１６に保留している紙幣を鑑別部１５へ搬送させてその金種及び損傷の程度等を鑑別させ、その鑑別結果を取得する。
【００４２】
そして、紙幣制御部１２は、紙幣の損傷の程度が大きければ、これを再利用すべきでない紙幣としてリジェクト庫１７へ搬送して収納させ、損傷の程度が小さければ、これを再利用すべき紙幣として紙幣収納ユニット１８へ搬送させる。
【００４３】
紙幣収納ユニット１８には、複数（ここでは４個）の収納カセット３５（３５Ａ〜３５Ｄ）が設けられている。複数の収納カセット３５は、それぞれ対応する金種が予め定められている。このため紙幣収納ユニット１８は、搬送されてきた紙幣をその金種に応じた収納カセット３５に振り分けて収納させる。
【００４４】
また、例えば利用者が現金自動預払機１との間で出金取引を行う場合、紙幣制御部１２は、主制御部９等と連携しながら、操作表示部６（図１）を介して所定の操作入力を受け付けた後、出金すべき金額に応じた紙幣を紙幣収納ユニット１８の収納カセット３５から繰り出させる。
【００４５】
続いて紙幣制御部１２は、この紙幣を搬送部１４により鑑別部１５へ搬送して鑑別させた上で入出金部１３へ搬送し、入出金口５（図１）のシャッタを開いてこの紙幣を利用者に取り出させる。
【００４６】
ここで紙幣制御部１２は、入出金口５のシャッタを開いてから所定時間が経過してシャッタを閉じた後にも入出金部１３に紙幣が残っていた場合、利用者が当該紙幣を取り忘れたものと見なし、この紙幣を搬送部１４により取忘れ保管庫２０へ搬送して、他の紙幣と区別できるように保管する。
【００４７】
ところで、紙幣入出金機筐体１１の後側に設けられた補充回収庫２１は、内部に多数の紙幣を収納できるよう構成されると共に、その真上に設置された補充入出金部２２と連結されている。
【００４８】
また補充回収庫２１は、筐体２（図１）の背面に設けられた後扉（図示せず）が開放されたときに、作業者の作業により、その内部に紙幣を収納し、またその内部から紙幣を取り出し得るようになっている。
【００４９】
紙幣制御部１２は、補充回収庫２１内に紙幣が収納された状態で所定の補充操作指示を受け付けると、補充回収庫２１から紙幣収納ユニット１８の収納カセット３５への紙幣の補充処理を行う。
【００５０】
このとき紙幣制御部１２は、補充入出金部２２により補充回収庫２１内から紙幣を順次繰り出させ、搬送部１４を介して紙幣収納ユニット１８へ搬送させて、指示された収納カセット３５内に紙幣を順次集積させる。
【００５１】
また紙幣制御部１２は、紙幣収納ユニット１８の収納カセット３５に紙幣が収納された状態で所定の回収操作指示を受け付けると、収納カセット３５から補充回収庫２１内への紙幣の回収処理を行う。
【００５２】
このとき紙幣制御部１２は、当該収納カセット３５から紙幣を順次繰り出させ、紙幣収納ユニット１８から搬送部１４を介して補充入出金部２２へ搬送させ、当該補充入出金部２２により補充回収庫２１内に順次集積させる。
【００５３】
因みに、紙幣制御部１２は、各種取引処理等の合間に補充処理及び回収処理を適宜実行することにより、収納カセット３５における紙幣の不足や飽和を未然に防止して、利用者に対する入金取引や出金取引の提供を極力継続させるようになされている。
【００５４】
このように紙幣入出金機１０では、利用者から入金された紙幣を紙幣収納ユニット１８の収納カセット３５に収納し、また利用者へ出金すべき紙幣を予め収納カセット３５に収納しておくようになっている。
【００５５】
［１−３．紙幣収納ユニットの構成］
次に、紙幣収納ユニット１８について詳しく説明する。図３に示すように、紙幣収納ユニット１８は、スライド筐体としての紙幣収納ユニット筐体３１を中心に構成されている。紙幣収納ユニット筐体３１は、全体として直方体状に構成され、前後方向に摺動するスライド機構（図示せず）を介して紙幣入出金機筐体１１に取り付けられている。
【００５６】
このため、紙幣収納ユニット筐体３１は、このスライド機構を伸縮させることにより、本体部としての紙幣入出金機筐体１１に対し前後方向へ移動し得るようになっている。すなわち、紙幣収納ユニット筐体３１は、図２に示したように紙幣入出金機筐体１１の内部に収納され、又は図３に示すように紙幣入出金機筐体１１の前方へ引き出される。
【００５７】
紙幣収納ユニット筐体３１には、複数（ここでは４個）のカセット装着部３２（３２Ａ〜３２Ｄ）が、前後方向に整列するように配置されている。尚、ここでは、説明の都合上、一番後側のカセット装着部３２Ａを第１カセット装着部３２Ａと呼び、一つ前のカセット装着部３２Ｂを第２カセット装着部３２Ｂ、さらに一つ前のカセット装着部３２Ｃを第３カセット装着部３２Ｃ、一番前側のカセット装着部３２Ｄを第４カセット装着部３２Ｄと呼ぶことにする。
【００５８】
第１〜第４カセット装着部３２Ａ〜３２Ｄは、図４（Ｂ）に示すように、いずれも同等の大きさでなり上下を長手方向とする直方体状に構成され、また中空に形成されると共に天板が省略されることにより、内部空間３２ＳＡ〜３２ＳＤを上方へ向けて開放させた状態となっている。
【００５９】
カセット装着部３２Ａ、３２Ｂ、３２Ｃ、３２Ｄのそれぞれの左側面上部には、上辺の一部が下方へ向けて矩形状に切り欠かれることにより、溝状の嵌合部３３Ａ、３３Ｂ、３３Ｃ、３３Ｄ（まとめて嵌合部３３とも呼ぶ）が形成されている。
【００６０】
図５（Ｂ）に示すように、４個の嵌合部３３は、カセット装着部３２の内側面底部から溝状部分の下端までの高さＨ１が等しく、また溝状部分の前後幅Ｗ１が等しくなっている。一方で、４個の嵌合部３３は、それぞれカセット装着部３２の内側前面からの距離Ｌ１（Ｌ１Ａ、Ｌ１Ｂ、Ｌ１Ｃ、Ｌ１Ｄ）が異なっている。すなわち嵌合部３３Ａ、３３Ｂ、３３Ｃ、３３Ｄは、それぞれカセット装着部３２Ａ、３２Ｂ、３２Ｃ、３２Ｄにおける前後方向の位置が異なっている。
【００６１】
またカセット装着部３２Ａ、３２Ｂ、３２Ｃ、３２Ｄの右側面上部（図４（Ｂ））には、嵌合部３３Ａ、３３Ｂ、３３Ｃ、３３Ｄとそれぞれ左右対称な嵌合部３４Ａ、３４Ｂ、３４Ｃ及び３４Ｄ（まとめて嵌合部３４とも呼ぶ）が形成されている。すなわち嵌合部３４Ａ、３４Ｂ、３４Ｃ、３４Ｄも、それぞれカセット装着部３２Ａ、３２Ｂ、３２Ｃ及び３２Ｄにおける前後方向の位置が異なっている。
【００６２】
このように各カセット装着部３２は、大きさ及び全体的な形状において共通化されているものの、嵌合部３３及び３４の前後方向の位置（すなわち溝の前後方向の位置）がそれぞれ異なる、いわば溝パターンがそれぞれ異なる構成となっている。
【００６３】
一方、第１〜第４カセット装着部３２Ａ〜３２Ｄに装着される収納カセット３５Ａ〜３５Ｄ（まとめて収納カセット３５とも呼ぶ）は、図４（Ａ）に示すように、いずれも同等の大きさでなり上下を長手方向とする直方体状に構成されており、その内部に多数の紙幣を集積した状態で収納し得るようになっている。
【００６４】
また各収納カセット３５は、前後方向及び左右方向の長さが、各カセット装着部３２の内部空間における前後方向及び左右方向の長さよりもそれぞれ僅かに短くなっている。すなわち各収納カセット３５は、全体的な形状としては、各カセット装着部３２の内部空間に対し上方向から挿入し得るように構成されている。
【００６５】
各収納カセット３５（３５Ａ〜３５Ｄ）は、図６（Ａ）に示すように、左側面上端部に、後述するシール４０の貼り付け位置を示すシール貼付枠４１が設けられ、さらにこのシール貼付枠４１の下に、後述する突起状係合部４２を着脱可能に取り付ける為の複数のネジ孔４３（４３Ａ１、４３Ａ２、４３Ｂ１、４３Ｂ２、４３Ｃ１、４３Ｃ２、４３Ｄ１、４３Ｄ２）が設けられている。尚、図６（Ａ）は、突起状係合部４２が取り外されている状態の収納カセット３５である。
【００６６】
ネジ孔４３は、上側に４個、下側に４個の計８個設けられ、上側の４個のネジ孔４３（４３Ａ１、４３Ｂ１、４３Ｃ１、４３Ｄ１）は、前後方向に所定の間隔を隔てて設けられ、下側の４個のネジ孔４３（４３Ａ２、４３Ｂ２、４３Ｃ２、４３Ｄ２）は、それぞれ上側のネジ孔４３の下方に所定の間隔を隔てて設けられている。
【００６７】
８個のネジ孔４３は、上下１個ずつの２個１組でなり、１組単位で、２本のネジ（図示せず）により突起状係合部４２が取り付けられるようになっている。つまり、上下２個のネジ孔４３が、突起状係合部４２の取付位置となる取付部４４であり、収納カセット３５の左側面には、前後方向に４組のネジ孔４３が設けられていることから、前後方向に４箇所の取付部４４（４４Ａ〜４４Ｄ）が設けられていることになる。
【００６８】
ここで、４箇所の取付部４４Ａ〜４４Ｄのうち、一番後側の取付部４４Ａを第１取付部４４Ａと呼び、１つ前の取付部４４Ｂを第２取付部４４Ｂ、さらに１つ前の取付部４４Ｃを第３取付部４４Ｃ、一番前側の取付部４４Ｄを第４取付部４４Ｄと呼ぶ。
【００６９】
尚、これら４箇所の取付部４４Ａ〜４４Ｄの前後方向の並び順は、第１〜第４カセット装着部３２Ａ〜３２Ｄの前後方向の並び順に対応している。
【００７０】
突起状係合部４２は、図４（Ａ）、図５（Ａ）、図６（Ｂ）に示すように、上下方向を長手方向とする直方体状でなり、前後幅Ｗ２は、各カセット装着部３２の嵌合部３３の前後幅Ｗ１より僅かに小さくなっている。
【００７１】
突起状係合部４２は、上部と下部に、それぞれ１個ずつ左右方向に貫通する取付孔４５Ａ、４５Ｂが設けられている。取付孔４５Ａ、４５Ｂの上下方向の間隔は、収納カセット３５に設けられた各取付部４４の上下２個のネジ孔４３の間隔と等しくなっている。
【００７２】
この突起状係合部４２を、収納カセット３５に４つある取付部４４のうちの１つに取り付ける場合、所望の取付部４４の上側のネジ孔４３の外側に、突起状係合部４２の上側の取付孔４５Ａを対向させると共に、所望の取付部４４の下側のネジ孔４３の外側に、突起状係合部４２の下側の取付孔４５Ｂを対向させる。
【００７３】
そして、２本のネジ（図示せず）を、それぞれ突起状係合部４２の上下の取付孔４５Ａ、４５Ｂを通して、取付部４４の上下のネジ孔４３に挿入して締付方向に回すことで、突起状係合部４２が、収納カセット３５Ａの所望の取付部４４に取り付けられ固定される。
【００７４】
突起状係合部４２は、このようにして収納カセット３５Ａに取り付けることができるようになっている。
【００７５】
尚、各収納カセット３５には、図示しないが、それぞれ右側面上端部にも同様に、シール貼付枠４１と４箇所の取付部４４が設けられていて、突起状係合部４２と同一構成の突起状係合部４６（図４（Ａ）参照）を取り付けることができるようになっている。
【００７６】
また、突起状係合部４２、４６が収納カセット３５の左右両側面に取り付けられたとき、突起状係合部４２、４６のそれぞれの高さＨ２は、各カセット装着部３２の嵌合部３３、３４の高さＨ１とほぼ等しくなる。
【００７７】
さらに、突起状係合部４２、４６が収納カセット３５の左右両側面の第１取付部４４Ａに取り付けられたとき、突起状係合部４２、４６のそれぞれの前側面からの距離Ｌ２Ａは、第１カセット装着部３２Ａの嵌合部３３Ａ、３４Ａのそれぞれの内側前面からの距離Ｌ１Ａとほぼ等しくなる。
【００７８】
つまり、第１取付部４４Ａが、第１カセット装着部３２Ａの溝パターンに対応する取付位置となっている。よって、第１カセット装着部３２Ａに装着する収納カセット３５Ａは、第１取付部４４Ａが、突起状係合部４２、４６を取り付けるときの正しい取付位置となる。
【００７９】
そして、実際、左右両側面の第１取付部４４Ａに突起状係合部４２、４６が取り付けられた収納カセット３５Ａは、図７（Ａ）に示すように、第１カセット装着部３２Ａに装着された場合にのみ、嵌合部３３Ａ、３４Ａに、突起状係合部４２、４６が嵌合されて全体が収容され、正しく装着できるようになっている。
【００８０】
これに対して、この収納カセット３５Ａを、第１カセット装着部３２Ａ以外のカセット装着部３２に装着しようとすると、図７（Ｂ）に示すように、突起状係合部４２、４６が、嵌合部３３、３４に嵌合されずに、カセット装着部３２の上端部に引っ掛かることで途中までしか収容されず、正しく装着できないようになっている。
【００８１】
また、突起状係合部４２、４６が第２取付部４４Ｂに取り付けられたとき、突起状係合部４２、４６のそれぞれの前側面からの距離Ｌ２Ｂは、第２カセット装着部３２Ｂの嵌合部３３Ｂ、３４Ｂのそれぞれの内側前面からの距離Ｌ１Ｂとほぼ等しくなる。
【００８２】
つまり、第２取付部４４Ｂが、第２カセット装着部３２Ｂの溝パターンに対応する取付位置となっている。よって、第２カセット装着部３２Ｂに装着する収納カセット３５Ｂは、第２取付部４４Ｂが、突起状係合部４２、４６を取り付けるときの正しい取付位置となる。
【００８３】
そして、実際、第２取付部４４Ｂに突起状係合部４２、４６が取り付けられた収納カセットは、第２カセット装着部３２Ｂにのみ、正しく装着することができる。
【００８４】
さらに、突起状係合部４２、４６が第３取付部４４Ｃに取り付けられたとき、突起状係合部４２、４６のそれぞれの前側面からの距離Ｌ２Ｃは、第３カセット装着部３２Ｃの嵌合部３３Ｃ、３４Ｃのそれぞれの内側前面からの距離Ｌ１Ｃとほぼ等しくなる。
【００８５】
つまり、第３取付部４４Ｃが、第３カセット装着部３２Ｃの溝パターンに対応する取付位置となっている。よって、第３カセット装着部３２Ｃに装着する収納カセット３５Ｃは、第３取付部４４Ｃが、突起状係合部４２、４６を取り付けるときの正しい取付位置となる。
【００８６】
そして、実際、第３取付部４４Ｃに突起状係合部４２、４６が取り付けられた収納カセット３５Ｃは、第３カセット装着部３２Ｃにのみ、正しく装着することができる。
【００８７】
さらに、突起状係合部４２、４６が第４取付部４４Ｄに取り付けられたとき、突起状係合部４２、４６のそれぞれの前側面からの距離Ｌ２Ｄは、第４カセット装着部３２Ｄの嵌合部３３Ｄ、３４Ｄのそれぞれの内側前面からの距離Ｌ１Ｄとほぼ等しくなる。
【００８８】
つまり、第４取付部４４Ｄが、第４カセット装着部３２Ｄの溝パターンに対応する取付位置となっている。よって、第４カセット装着部３２Ｄに装着する収納カセット３５Ｄは、第４取付部４４Ｄが、突起状係合部４２、４６を取り付けるときの正しい取付位置となる。
【００８９】
そして、実際、第４取付部４４Ｄに突起状係合部４２、４６が取り付けられた収納カセット３５Ｄは、第４カセット装着部３２Ｄにのみ、正しく装着することができる。
【００９０】
このように、紙幣収納ユニット１８では、収納カセット３５ごとに、突起状係合部４２、４６の取付位置が異なっていて、正しい取付位置に突起状係合部４２、４６を取り付けることで、各収納カセット３５を対応するカセット装着部３２に正しく装着できるようになっている。
【００９１】
尚、各収納カセット３５は、各カセット装着部３２に正しく装着されたときでも、突起状係合部４２、４６より上側の上端部がカセット装着部３２に覆われず露出するようになっている。
【００９２】
さらに、各収納カセット３５には、図６（Ａ）に示すように、突起状係合部４２、４６の取付位置を間違えないようにする為に、突起状係合部４２、４６の取付位置を示すシール４０が、左右両側面のシール貼付枠４１の内側に貼り付けられている。
【００９３】
具体的に、収納カセット３５の左側面上端部に設けられるシール貼付枠４１は、左側面の前端付近から後端付近まで延びる前後方向に長い長方形となっていて、第１取付部４４Ａ〜第４取付部４４Ｄの上方に位置する。
【００９４】
このシール貼付枠４１内に、シール貼付枠４１より僅かに小さい長方形のシール４０が貼り付けられている。
【００９５】
このシール４０には、例えば「Ａ」、「Ｂ」、「Ｃ」、「Ｄ」の４文字が前後方向に所定の間隔を空けて印刷されている。
【００９６】
これら「Ａ」、「Ｂ」、「Ｃ」、「Ｄ」の４文字は、収納カセット３５の種類を示していて、シール４０がシール貼付枠４１内に貼り付けられたときに、これら４文字のそれぞれが、４個の取付部４４Ａ〜４４Ｄのそれぞれの上方に位置するように印刷されている。
【００９７】
これら４文字の前後方向の並び順は、４個の取付部４４Ａ〜４４Ｄの前後方向の並び順に対応していて、さらに言えば、４つのカセット装着部３２Ａ〜３２Ｄの前後方向の並び順に対応している。
【００９８】
ゆえに、一番後側に印刷されている文字「Ａ」は、一番後側の第１カセット装着部３２Ａに装着する収納カセット３５Ａ、つまり第１カセット装着部３２Ａに対応する金種が収納された収納カセット３５Ａを示している。
【００９９】
さらに、文字「Ａ」より一つ前に位置する文字「Ｂ」は、第１カセット装着部３２Ａより一つ前に位置する第２カセット装着部３２Ｂに装着する収納カセット３５Ｂ、つまり第２カセット装着部３２Ｂに対応する金種が収納された収納カセット３５Ｂを示している。
【０１００】
さらに、文字「Ｂ」より一つ前に位置する文字「Ｃ」は、第２カセット装着部３２Ｂより一つ前に位置する第３カセット装着部３２Ｃに装着する収納カセット３５Ｃ、つまり第３カセット装着部３２Ｃに対応する金種が収納された収納カセット３５Ｃを示している。
【０１０１】
さらに、文字「Ｃ」より一つ前に位置する文字「Ｄ」は、第３カセット装着部３２Ｃより一つ前に位置する第４カセット装着部３２Ｄに装着する収納カセット３５Ｄ、つまり第４カセット装着部３２Ｄに対応する金種が収納された収納カセット３５Ｄを示している。
【０１０２】
尚、文字「Ａ」は、第１取付部４４Ａの上下のネジ孔４３Ａ１、Ａ２と縦方向に並ぶ位置関係となっていて、文字「Ｂ」は、第２取付部４４Ｂの上下のネジ孔４３Ｂ１、Ｂ２と縦方向に並ぶ位置関係、文字「Ｃ」は、第３取付部４４Ｃの上下のネジ孔４３Ｃ１、Ｃ２と縦方向に並ぶ位置関係、文字「Ｄ」は、第４取付部４４Ｄの上下のネジ孔４３Ｄ１、Ｄ２と、縦方向に並ぶ位置関係となっている。
【０１０３】
このような文字の並び順と、文字と取付部４４との位置関係によって、文字「Ａ」は、第１取付部４４Ａが、第１カセット装着部３２Ａに対応する取付位置であることを示し、文字「Ｂ」は、第２取付部４４Ｂが、第２カセット装着部３２Ｂに対応する取付位置であることを示し、文字「Ｃ」は、第３取付部４４Ｃが、第３カセット装着部３２Ｃに対応する取付位置であることを示し、文字「Ｄ」は、第４取付部４４Ｄが、第４カセット装着部３２Ｄに対応する取付位置であることを示している。
【０１０４】
そして、実際、収納カセット３５の左側面に突起状係合部４２を取り付ける際、作業者は、シール４０の印刷内容を確認して、目的とする収納カセット３５の種類に対応する文字の下方に位置する取付部４４に突起状係合部４２を取り付ける。
【０１０５】
こうすることで、作業者は、図８に示すように、目的とする収納カセット３５の種類に対応する取付位置に間違いなく突起状係合部４２を取り付けることができる。
【０１０６】
尚、各収納カセット３５は、右側面上端部のシール貼付枠４１内にも、シール４０と同様の印刷内容でなるシール４７（図４（Ａ）参照）が貼り付けられている。ただし、このシール４７は、右側面に貼り付けられる為、図９に示すように、正面から見たときの文字の並び順がシール４０とは左右逆になっている。
【０１０７】
これにより、作業者は、収納カセット３５の右側面にも、シール４７に印刷されている文字の位置に従って突起状係合部４６を取り付けることで、目的とする収納カセット３５の種類に対応する取付位置に間違いなく突起状係合部４６を取り付けることができる。
【０１０８】
また、シール４０、４７は、図８に示すように、収納カセット３５がカセット装着部３２に正しく装着されたときにカセット装着部３２に覆われない位置に貼り付けられているので、収納カセット３５をカセット装着部３２に正しく装着した後でも、作業者が容易に確認できるようになっている。
【０１０９】
［１−４．第１の実施の形態による効果］
上述したように、第１の実施の形態では、収納カセット３５の左側面に設けられた、突起状係合部４２を取り付ける為の４箇所の取付部４４の上方に、突起状係合部４２の取付位置を示すシール４０を貼り付けるようにした。
【０１１０】
このシール４０には、収納カセット３５の種類（Ａ〜Ｄの４種類）と、４箇所の取付部４４との対応関係が示されていて、目的とする種類の収納カセット３５に対応する取付部４４がどこなのかを一目で確認できるようになっている。
【０１１１】
これにより、例えば、収納カセット３５に突起状係合部４２を取り付ける際に、作業者は、このシール４０に従って突起状係合部４２を取り付けることで、目的とする収納カセット３５の種類に対応する取付位置に間違いなく突起状係合部４２を取り付けることができる。
【０１１２】
また、シール４０には、収納カセット３５の種類を示す文字が、カセット装着部３２の並び順と対応する並び順で印刷されている。これにより、作業者は、目的とする収納カセット３５の種類がどれなのかを、文字の並び順からも特定でき、例えば、目的とする収納カセット３５の種類が一番後側の第１カセット装着部３２Ａに装着する収納カセット３５Ａであるならば、突起状係合部４２を、一番後側に印刷されている文字「Ａ」の下方に位置する取付部４４Ａに取り付ければよい旨を容易に把握できる。
【０１１３】
また、収納カセット３５は４種類あるが、収納カセット３５に貼り付けられるシール４０は全種類共通としたことにより、収納カセット３５は、突起状係合部４２の取付位置を変更するだけで、どの種類にも対応し得るようになっている。
【０１１４】
これにより、例えば、収納カセット３５が故障したときの交換用として、予備の収納カセット３５を用意する場合に、全種類分用意しなくてもよく、例えば、予備の収納カセット３５を１個だけ用意するようにしてもよい。
【０１１５】
この場合、例えば４種類の収納カセット３５（３５Ａ〜３５Ｄ）のうちの１つが故障したら、故障した収納カセット３５と同じ種類となるように予備の収納カセット３５に突起状係合部４２を取り付けて交換する。
【０１１６】
このとき、例えば、現金自動預払機１が運用されている現地で、予備の収納カセット３５に突起状係合部４２を取り付けることもあるが、予備の収納カセット３５に貼り付けられたシール４０の印刷内容に従って突起状係合部４２を取り付けることで、故障した収納カセット３５の種類に対応する取付位置に間違いなく突起状係合部４２を取り付けることができる。
【０１１７】
以上の構成によれば、紙幣収納ユニット１８では、収納カセット３５に突起状係合部４２を取り付けるときに、収納カセット３５に貼り付けられたシール４０が示す印刷内容にしたがって取り付けることで、突起状係合部４２を、目的とする取付位置に間違いなく取り付けることができる。
【０１１８】
また、収納カセット３５には、右側面にも、左側面と同様に、突起状係合部４６の取付位置を示すシール４７が貼り付けられていることにより、突起状係合部４６を、目的とする取付位置に間違いなく取り付けることができる。
【０１１９】
［２．第２の実施の形態］
次に、第２の実施の形態について説明する。この第２の実施の形態は、図１０に示すように、第１の実施の形態の収納カセット３５に対応する収納カセット５０に、第１の実施の形態のシール４０とは異なるシール５１を貼り付けるようにした実施の形態である。
【０１２０】
ゆえに、収納カセット５０以外の構成については、第１の実施の形態と同様の為、説明を省略する。尚、図１０では、収納カセット３５と同一部分については同一符号を付している。
【０１２１】
［２−１．収納カセットの構成］
収納カセット５０の種類は、第１の実施の形態と同様、４種類である。具体的には、第１カセット装着部３２Ａに装着する収納カセット５０Ａと、第２カセット装着部３２Ｂに装着する収納カセット５０Ｂと、第３カセット装着部３２Ｃに装着する収納カセット５０Ｃと、第４カセット装着部３２Ｄに装着する収納カセット５０Ｄの４種類である。尚、図１０は、一例として、収納カセット５０Ａを示している。
【０１２２】
これら４種類の収納カセット５０Ａ〜５０Ｄには、それぞれ、左側面上端部に、シール５１の貼り付け位置を示すシール貼付枠５２が設けられ、さらにこのシール貼付枠５２の下方には、第１の実施の形態と同様、突起状係合部４２を着脱可能に取り付ける為の複数のネジ孔４３（４３Ａ１、４３Ａ２、４３Ｂ１、４３Ｂ２、４３Ｃ１、４３Ｃ２、４３Ｄ１、４３Ｄ２）が設けられている。
【０１２３】
ネジ孔４３は、第１の実施の形態と同様、上下１個ずつの２個を１組として４組分（計８個）設けられ、これら４組が、それぞれ突起状係合部４２の取付部４４となっている。
【０１２４】
つまり、シール貼付枠５２の下方には、４箇所の取付部４４（４４Ａ〜４４Ｄ）が前後方向に所定の間隔を隔てて設けられている。
【０１２５】
シール貼付枠５２は、第１の実施の形態のシール貼付枠４１よりも上方に長く、このシール貼付枠５２内に貼り付けられるシール５１も、第１の実施の形態のシール４０より上方に長くなっている。
【０１２６】
また、この第２の実施の形態では、シール５１の印刷内容が４種類の収納カセット５０Ａ〜５０Ｄ全てで共通ではなく、種類ごとに異なっている。
【０１２７】
つまり、シール５１は、図１１に示すように、収納カセット５０の種類に合わせてシール５１Ａ〜５１Ｄの４種類有り、それぞれ、その中央部分に、対応する種類を示す文字が印刷され、さらに、この文字の下方に、ネジ孔を模した４個の円形のネジマーク５３（５３Ａ〜５３Ｄ）が前後方向に所定の間隔を空けて印刷されている。
【０１２８】
４個のネジマーク５３（５３Ａ〜５３Ｄ）は、それぞれ、突起状係合部４２の取付位置を示すものであり、一番後側のネジマーク（これを第１ネジマークと呼ぶ）５３Ａは、第１取付部４４Ａの上方となる位置に印刷されている。このとき、第１ネジマーク５３Ａと、第１取付部４４Ａの上下のネジ孔４３Ａ１、４３Ａ２は、縦方向に並ぶ位置関係となっている。
【０１２９】
また、この第１ネジマーク５３Ａより１つ前のネジマーク（これを第２ネジマークと呼ぶ）５３Ｂは、第２取付部４４Ｂの上方となる位置に印刷されていて、第２取付部の上下のネジ孔４３Ｂ、４３Ｂ２と、縦方向に並ぶ位置関係となっている。
【０１３０】
さらに、第２ネジマーク５３Ｂより１つ前のネジマーク（これを第３ネジマークと呼ぶ）５３Ｃは、第３取付部４４Ｃの上方となる位置に印刷されていて、第３取付部４４Ｃの上下のネジ孔４３Ｃ１、４３Ｃ２と、縦方向に並ぶ位置関係となっている。
【０１３１】
さらに、第３ネジマーク５３Ｃより１つ前（すなわち一番前側）のネジマーク（これを第４ネジマークと呼ぶ）５３Ｄは、第４取付部４４Ｄの上方となる位置に印刷されていて、第４取付部４４Ｄの上下のネジ孔４３Ｄ１、４３Ｄ２と、縦方向に並ぶ位置関係となっている。
【０１３２】
さらに、４個のネジマーク５３Ａ〜５３Ｄのうち１つだけ、ネジ孔にネジが嵌入されているかのように所定の色（例えば黒色）で塗り潰されている。この塗り潰されたネジマーク５３は、その下方に位置する取付部４４に、突起状係合部４２を取り付ければよい旨を示している。
【０１３３】
尚、４個のネジマーク５３Ａ〜５３Ｄは、その前後方向の並び順が、４つのカセット装着部３２Ａ〜３２Ｄの前後方向の並び順に対応している。よって、図１０に示すように、例えば、一番後側に印刷されているネジマーク５３Ａが塗り潰されている場合には、その収納カセット５０が、一番後側の第１カセット装着部３２Ａに装着する収納カセット５０Ａであることも示している。
【０１３４】
そして、実際、４種類のシール５１（５１Ａ〜５１Ｄ）は、印刷されている文字と、塗り潰されているネジマーク５３の位置がそれぞれ異なっている。
【０１３５】
すなわち、図１１に示すように、一番後側の第１カセット装着部３２Ａに装着する収納カセット５０Ａに貼り付けられるシール５１Ａは、中央に文字「Ａ」が印刷されていると共に、一番後側の第１ネジマーク５３Ａが塗り潰されている。
【０１３６】
このような印刷内容によって、シール５１Ａは、収納カセット５０Ａの種類が「Ａ」、すなわち第１カセット装着部３２に装着するものであり、突起状係合部４２の取付位置が、第１取付部４４Ａであることを示している。
【０１３７】
また、第１カセット装着部３２Ａの１つ前に位置する第２カセット装着部３２Ｂに装着する収納カセット５０Ｂに貼り付けられるシール５１Ｂは、中央に文字「Ｂ」が印刷されていると共に、第１ネジマーク５３Ａより１つ前に位置する第２ネジマーク５３Ｂが塗り潰されている。
【０１３８】
このような印刷内容によって、シール５１Ｂは、収納カセット５０Ｂの種類が「Ｂ」、すなわち第２カセット装着部３２Ｂに装着するものであり、突起状係合部４２の取付位置が、第２取付部４４Ｂであることを示している。
【０１３９】
さらに、第２カセット装着部３２Ｂの１つ前に位置する第３カセット装着部３２Ｃに装着する収納カセット５０Ｃに貼り付けられるシール５１Ｃは、中央に文字「Ｃ」が印刷されていると共に、第２ネジマーク５３Ｂより１つ前に位置する第３ネジマーク５３Ｃが塗り潰されている。
【０１４０】
このような印刷内容によって、シール５１Ｃは、収納カセット５０Ｃの種類が「Ｃ」、すなわち第３カセット装着部３２Ｃに装着するものであり、突起状係合部４２の取付位置が、第３取付部４４Ｃであることを示している。
【０１４１】
さらに、第３カセット装着部３２Ｃより１つ前に位置する第４カセット装着部３２Ｄに装着する収納カセット５０Ｄに貼り付けられるシール５１Ｄは、中央に文字「Ｄ」が印刷されていると共に、第３ネジマーク５３Ｃより１つ前に位置する第４ネジマーク５３Ｄが塗り潰されている。
【０１４２】
このような印刷内容によって、シール５１Ｄは、収納カセット５０Ｄの種類が「Ｄ」、すなわち第４カセット装着部３２Ｄに装着するものであり、突起状係合部４２の取付位置が、第４取付部４４Ｄであることを示している。
【０１４３】
これにより、例えば、収納カセット５０に突起状係合部４２を取り付ける作業者は、シール５１の文字と、塗り潰されたネジマーク５３の位置とにより、収納カセット５０の種類を特定して、塗り潰されたネジマーク５３の下方に位置する取付部４４に突起状係合部４２を取り付ける。
【０１４４】
こうすることで、作業者は、目的とする収納カセット５０の種類に対応する取付位置に間違いなく突起状係合部４２を取り付けることができる。
【０１４５】
尚、収納カセット５０には、図示しないが、それぞれ右側面上端部にも同様に、シール貼付枠５２と４箇所の取付部４４が設けられている。そして、このシール貼付枠５２内には、シール５１と同様の印刷内容でなるシール（図示せず）が貼り付けられている。ただし、このシールは、右側面に貼り付けられる為、正面から見たときの塗り潰されたネジマーク５３の配置がシール５１とは左右逆になっている。
【０１４６】
これにより、作業者は、収納カセット５０の右側面にも、シールに印刷されている塗り潰されたネジマーク５４の位置に従って突起状係合部４６を取り付けることで、目的とする収納カセット５０の種類に対応する取付位置に間違いなく突起状係合部４６を取り付けることができる。
【０１４７】
また、シール５１は、第１の実施の形態と同様、収納カセット５０がカセット装着部３２に正しく装着されたときにカセット装着部３２に覆われない位置に貼り付けられているので、収納カセット５０をカセット装着部３２に正しく装着した後でも、作業者が容易に確認できるようになっている。
【０１４８】
［２−２．第２の実施の形態による効果］
上述したように、第２の実施の形態では、４種類の収納カセット５０（５０Ａ〜５０Ｄ）のそれぞれに、収納カセット５０の種類ごとに印刷内容が異なるシール５１を貼り付けるようにした。
【０１４９】
このシール５１には、収納カセット５０の種類がどれであるのかと、４箇所の取付部４４のうちのどこに突起状係合部４２を取り付ければよいかが示されていて、収納カセット５０の種類と、この種類に対応する取付位置を一目で確認できるようになっている。
【０１５０】
これにより、例えば、収納カセット５０に突起状係合部４２を取り付ける作業者は、このシール５１に従って突起状係合部４２を取り付けることで、目的とする収納カセット５０の種類に対応する取付位置に間違いなく突起状係合部４２を取り付けることができる。
【０１５１】
また、この第２の実施の形態では、収納カセット５０に貼り付けるシール５１の印刷内容を、収納カセット５０の４種類全てで共通とするのではなく、種類ごとに変え、印刷内容から、収納カセット５０の種類が何であるのかと、取付位置がどこなのかがわかるようにした。
【０１５２】
つまり、この第２の実施の形態では、収納カセット５０の種類が、その収納カセット５０に貼り付けられたシール５１が示す種類に固定されていて、そのうえで、シール５１が、その種類に対応する、突起状係合部４２の取付位置を示すようになっている。これにより、収納カセット５０の種類を間違えることなく、突起状係合部４２を、目的とする取付位置に間違いなく取り付けることができる。
【０１５３】
また、収納カセット５０には、右側面にも、左側面と同様に、突起状係合部４６の取付位置を示すシールが貼り付けられていることにより、突起状係合部４６を、目的とする取付位置に間違いなく取り付けることができる。
【０１５４】
［３．第３の実施の形態］
次に、第３の実施の形態について説明する。この第３の実施の形態は、図１２に示すように、第１の実施の形態の収納カセット３５に対応する収納カセット６０に、第１の実施の形態のシール４０とは異なるシール６１を貼り付けるようにした実施の形態である。
【０１５５】
ゆえに、収納カセット６０以外の構成については、第１の実施の形態と同様の為、説明を省略する。尚、図１２では、収納カセット３５と同一部分については同一符号を付している。
【０１５６】
［３−１．収納カセットの構成］
収納カセット６０の種類は、第１及び第２の実施の形態と同様、４種類である。具体的には、第１カセット装着部３２Ａに装着する収納カセット６０Ａと、第２カセット装着部３２Ｂに装着する収納カセット６０Ｂと、第３カセット装着部３２Ｃに装着する収納カセット６０Ｃと、第４カセット装着部３２Ｄに装着する収納カセット６０Ｄとの４種類である。尚、図１２は、一例として、収納カセット６０Ａを示している。
【０１５７】
これら４種類の収納カセット６０Ａ〜６０Ｄには、それぞれ、収納カセット３５と同様の位置に、ネジ孔４３（４３Ａ１、４３Ａ２、４３Ｂ１、４３Ｂ２、４３Ｃ１、４３Ｃ２、４３Ｄ１、４３Ｄ２）が設けられている。
【０１５８】
ネジ孔４３は、第１の実施の形態と同様、上下１個ずつの２個を１組として４組分（計８個）設けられ、これら４組が、それぞれ突起状係合部４２の取付部４４となっている。
【０１５９】
さらに、収納カセット６０Ａ〜６０Ｄには、それぞれ左側面上端部に、第２の実施の形態のシール貼付枠５２よりも下方に長く、内側に、４個の取付部４４の全てが収まる大きさのシール貼付枠６２が設けられている。
【０１６０】
この第３の実施の形態も、シール６１が４種類の収納カセット６０Ａ〜６０Ｄ全てで共通ではなく、種類ごとに印刷内容が異なっている。
【０１６１】
つまり、シール６１は、図１３に示すように、収納カセット６０の種類に合わせてシール６１Ａ〜６１Ｄの４種類有り、それぞれ、その中央部分に、対応する種類を示す文字が印刷されている。さらに、４種類のシール６１は、文字の下方に位置する４箇所の取付部４４のうちの３箇所（つまり３組のネジ孔４３）を覆う形状になっていて、種類ごとに、４箇所の取付部４４のうちのどの３箇所を覆うのかが異なっている。
【０１６２】
すなわち、シール６１は、４箇所の取付部４４のうち、覆っていない取付部４４に、突起状係合部４２を取り付ければよい旨を示している。
【０１６３】
実際、図１３に示すように、４種類のシール６１（６１Ａ〜６１Ｄ）のうち、一番後側の第１カセット装着部３２Ａに装着する収納カセット６０Ａに貼り付けられるシール６１Ａは、中央に文字「Ａ」が印刷されていると共に、一番後側の第１取付部４４Ａ以外の３個の取付部４４Ｂ、４４Ｃ、４４Ｄを覆う形状となっている。
【０１６４】
つまり、このシール６１Ａが貼り付けられた収納カセット６０Ａは、第１取付部４４Ａのネジ孔４３Ａ１、４３Ａ２のみが露出して、これら以外の６個のネジ孔４３は、シール６１Ａにより覆い隠されている。
【０１６５】
このような印刷内容及び形状によって、シール６１Ａは、収納カセット６０Ａの種類が「Ａ」、すなわち第１カセット装着部３２Ａに装着するものであり、突起状係合部４２の取付位置が、第１取付部４４Ａであることを示している。
【０１６６】
また、第２カセット装着部３２Ｂに装着する収納カセット６０Ｂに貼り付けられるシール６１Ｂは、中央に文字「Ｂ」が印刷されていると共に、第２取付部４４Ｂ以外の３個の取付部４４Ａ、４４Ｃ、４４Ｄを覆う形状となっている。
【０１６７】
このような印刷内容及び形状によって、シール６１Ｂは、収納カセット６０Ｂの種類が「Ｂ」、すなわち第２カセット装着部３２Ｂに装着するものであり、突起状係合部４２の取付位置が、第２取付部４４Ｂであることを示している。
【０１６８】
さらに、第３カセット装着部３２Ｃに装着する収納カセット６０Ｃに貼り付けられるシール６１Ｃは、中央に文字「Ｃ」が印刷されていると共に、第３取付部４４Ｃ以外の３個の取付部４４Ａ、４４Ｂ、４４Ｄを覆う形状となっている。
【０１６９】
このような印刷内容及び形状によって、シール６１Ｃは、収納カセット６０Ｃの種類が「Ｃ」、すなわち第３カセット装着部３２Ｃに装着するものであり、突起状係合部４２の取付位置が、第３取付部４４Ｃであることを示している。
【０１７０】
さらに、第４カセット装着部３２Ｄに装着する収納カセット６０Ｄに貼り付けられるシール６１Ｄは、中央に文字「Ｄ」が印刷されていると共に、第４取付部４４Ｄ以外の３個の取付部４４Ａ、４４Ｂ、４４Ｃを覆う形状となっている。
【０１７１】
このような印刷内容及び形状によって、シール６１Ｄは、収納カセット６０Ｄの種類が「Ｄ」、すなわち第４カセット装着部３２Ｄに装着するものであり、突起状係合部４２の取付位置が、第４取付部４４Ｄであることを示している。
【０１７２】
これにより、例えば、収納カセット６０に突起状係合部４２を取り付ける作業者は、シール６１の文字で収納カセット６０の種類を特定するともに、露出している取付部４４に突起状係合部４２を取り付ける。
【０１７３】
こうすることで、作業者は、目的とする収納カセット６０の種類に対応する取付位置に間違いなく突起状係合部４２を取り付けることができる。
【０１７４】
尚、収納カセット６０には、図示しないが、右側面上端部にも同様に、シール貼付枠６２と４箇所の取付部４４が設けられている。そして、このシール貼付枠６２内には、シール６１と同様の印刷内容でなるシール（図示せず）が貼り付けられている。ただし、このシールは、右側面に貼り付けられる為、正面から見たときの形状がシール６１とは左右逆になっている。
【０１７５】
これにより、作業者は、収納カセット６０の右側面にも、シールにより覆われていない取付部４４に突起状係合部４６を取り付けることで、目的とする収納カセット６０の種類に対応する取付位置に間違いなく突起状係合部４６を取り付けることができる。
【０１７６】
［３−２．第３の実施の形態による効果］
上述したように、第３の実施の形態では、４種類の収納カセット６０のそれぞれに、収納カセット６０の種類ごとに印刷内容が異なるシール６１を貼り付けるようにした。
【０１７７】
このシール６１には、収納カセット６０の種類がどれであるのかと、４箇所の取付部４４のうちのどこに突起状係合部４２を取り付ければよいかが示されていて、収納カセット６０の種類と、この種類に対応する取付位置を一目で確認できるようになっている。
【０１７８】
くわえて、この第３の実施の形態では、収納カセット６０に貼り付けるシール６１の形状を種類ごとに変え、種類ごとに、４箇所の取付部４４のうち、正しい取付部４４以外の３箇所を覆う形状とした。
【０１７９】
これにより、４箇所の取付部４４のうち、正しい１箇所の取付部４４しか露出しないので、作業者が突起状係合部４２の取付位置を間違えることはなくなる。
【０１８０】
換言すれば、この第３の実施の形態では、第２の実施の形態と比して、より一層確実に、突起状係合部４２を、目的とする取付位置に間違いなく取り付けることができるようになっている。
【０１８１】
また、収納カセット６０には、右側面にも、左側面と同様に、突起状係合部４６の取付位置を示すシールが貼り付けられていることにより、突起状係合部４６を、目的とする取付位置に間違いなく取り付けることができる。
【０１８２】
［４．第４の実施の形態］
次に、第４の実施の形態について説明する。この第４の実施の形態は、図１４に示すように、第１の実施の形態の収納カセット３５（３５Ａ〜３５Ｂ）及びカセット装着部３２（３２Ａ〜３２Ｂ）にそれぞれ対応する収納カセット７０（７０Ａ〜７０Ｂ）及びカセット装着部７１（７１Ａ〜７１Ｂ）の構成が、第１の実施の形態とは異なる実施の形態である。
【０１８３】
ゆえに、収納カセット７０及びカセット装着部７１以外の構成については、第１の実施の形態と同様の為、説明を省略する。
【０１８４】
［４−１．収納カセット及びカセット装着部の構成］
まず、収納カセット７０について説明する。収納カセット７０は、第１の実施の形態と同様４種類あり、いずれも同等の大きさでなり上下を長手方向とする直方体状に構成されており、その内部に多数の紙幣を集積した状態で収納し得るようになっている。
【０１８５】
図１５（Ａ）及び（Ｂ）に示すように、収納カセット７０は、左側面上端部に、後述するシール７２（図１７）の貼り付け位置を示す四角形状のシール貼付枠７３が設けられ、さらにこのシール貼付枠７３内に、後述する突起状係合部７４を着脱可能に取り付ける為の取付部７５が設けられている。
【０１８６】
尚、図１５は、一例として、収納カセット７０Ａを示していて、説明の都合上、シール７２を省略したものとなっている。
【０１８７】
取付部７５は、シール貼付枠７３内の中央に設けられた１個のネジ孔７６と、シール貼付枠７３内の４隅（すなわちネジ孔７６の周囲）にそれぞれ設けられた、４個の位置決め孔７７（７７Ａ〜７７Ｄ）とで構成されている。尚、４個の位置決め孔７７Ａ、７７Ｂ、７７Ｃ、７７Ｄは、それぞれネジ孔７６からの距離が等しくなっている。
【０１８８】
ネジ孔７６は、突起状係合部７４をネジ止めする為の孔であり、４個の位置決め孔７７は、それぞれ取付部７５内での突起状係合部７４の取付位置を決める為の孔である。
【０１８９】
突起状係合部７４は、図１５（Ｃ）に示すように、上下方向を長手方向とする直方体状の本体部７４Ａと、当該本体部７４Ａの上下中央付近から前後方向に突出する突出部７４Ｂとで構成され、全体として厚みのあるＴ字型の形状をなしている。
【０１９０】
また、本体部７４Ａには、左右方向の一側面の上側と下側に、円柱状の位置決め突起７８Ａ、７８Ｂが突設されている。さらに、突出部７４Ｂには、中央に、左右方向に貫通する取付孔７９が設けられている。
【０１９１】
尚、図１５（Ｃ）は、突起状係合部７４を、位置決め突起７８が設けられている一側面の側から見たときのものである。
【０１９２】
この突起状係合部７４を収納カセット７０に取り付ける場合の取り付け方には、２通り有り、第１の取り付け方は、図１６（Ａ）に示すように、突起状係合部７４を、突出部７４Ｂの前側に本体部７４Ａが位置する向きにして、本体部７４Ａの上下の位置決め突起７８Ａ、７８Ｂを、それぞれ、収納カセット７０の取付部７５の前側の上下の位置決め孔７７Ｃ、７７Ｄに挿入して取り付ける取り付け方である。
【０１９３】
尚、このとき、突起状係合部７４の突出部７４Ｂの取付孔７９が、ネジ孔７６の外側に対向する位置となるので、ネジ（図示せず）を、取付孔７９を通してネジ孔７６に挿入して締付方向に回すことで、突起状係合部７４が、本体部７４Ａを突出部７４Ｂの前側とする向きで収納カセット７０に固定される。
【０１９４】
第２の取り付け方は、図１６（Ｂ）に示すように、突起状係合部７４を、突出部７４Ｂの後側に本体部７４Ａが位置する向きにして、本体部７４Ａの上下の位置決め突起７８Ａ、７８Ｂを、それぞれ、収納カセット７０の取付部７５の後側の上下の位置決め孔７７Ａ、７７Ｂのそれぞれに挿入して取り付ける取り付け方である。
【０１９５】
尚、このときも、突起状係合部７４の突出部７４Ｂの取付孔７９が、ネジ孔７６の外側に対向する位置となるので、ネジ（図示せず）を、取付孔７９を通してネジ孔７６に挿入して締付方向に回すことで、突起状係合部７４が、本体部７４Ａを突出部７４Ｂの後側とする向きで収納カセット７０に固定される。
【０１９６】
このように第１の取り付け方と第２の取り付け方は、それぞれ突起状係合部７４を取り付けるときの取付位置と取付向きが異なっている。突起状係合部７４は、これら第１及び第２の取り付け方のうちのどちらかの取り付け方で、収納カセット７０に取り付けられる。
【０１９７】
尚、収納カセット７０には、図１５（Ａ）に示すように、右側面上端部にも同様に、シール貼付枠７３と、突起状係合部７４と同一構成の突起状係合部８０を取り付ける為の取付部７５（図示せず）が設けられていて、突起状係合部８０を第１及び第２の取り付け方のどちらかで取り付けることができるようになっている。
【０１９８】
ところで、左右の突起状係合部７４、８０の取り付け方の組み合わせパターンとしては、それぞれを第１又は第２の取り付け方のどちらで取り付けるかにより、２通りを２乗した４通りが選択可能となる。
【０１９９】
つまり、４種類の収納カセット７０Ａ〜７０Ｄは、図１６（Ｃ）に示すように、取り付け方の組み合わせパターンがそれぞれ異なっている。
【０２００】
さらに、収納カセット７０には、図１７に示すように、突起状係合部７４の取り付け方を間違えないようにする為に、突起状係合部７４の取り付け方を示すシール７２が、左側面のシール貼付枠７３の内側に貼り付けられている。このシール７２は、シール貼付枠７３より僅かに小さい長方形となっている。
【０２０１】
このシール７２には、突起状係合部７４を左右方向から見たときの外枠を示すＴ字型の係合部マーク８１が、突起状係合部７４を正しい取り付け方で取り付けたときの取付位置に印刷されている。
【０２０２】
すなわち、例えば、収納カセット７０Ａの左側面に対する突起状係合部７４の取り付け方として正しい取り付け方が第２の取り付け方である場合、シール７２には、ネジ孔７６と、ネジ孔７６の後側の上下に位置する位置決め孔７７Ａ、７７Ｂとを囲うように係合部マーク８１が印刷されている。
【０２０３】
さらにこの係合部マーク８１の内側には、ネジ孔７６及び２つの位置決め孔７７Ａのそれぞれと対向する３箇所に、これらの孔７６、７７Ａ、７７Ｂを模した円形の孔マーク８２Ａ〜８２Ｃが印刷されている。
【０２０４】
収納カセット７０Ａの右側面、及び他の収納カセット７０Ｂ〜７０Ｄについても、同様にして、突起状係合部７４、８０の正しい取り付け方を示す係合部マーク８１が印刷されたシール７２が貼り付けられている。
【０２０５】
これにより、例えば、収納カセット７０に突起状係合部７４を取り付ける作業者は、シール７２に印刷されている、係合部マーク８１に、突起状係合部７４の取付位置と取付向きを合わせるようにして、突起状係合部７４を取り付けることで、目的とする収納カセット７０の種類に対応する取付位置に間違いなく突起状係合部７４を取り付けることができる。
【０２０６】
尚、実際に、突起状係合部７４を取り付ける場合、係合部マーク８１内の孔マーク８２Ａ〜８２Ｄを、ネジと突起状係合部７４の位置決め突起７８Ａ、７８Ｂで突き破って取り付けることになる。
【０２０７】
一方、図１８に示すように、４種類のカセット装着部７１Ａ〜７１Ｄは、いずれも同等の大きさでなり、第１の実施の形態のカセット装着部３２と比較して、嵌合部９０（９０Ａ〜９０Ｄ）及び９１（９１Ａ〜９１Ｄ）の位置及び形状が異なっている。
【０２０８】
嵌合部９０、９１の各溝は、収納カセット７０に突起状係合部７４、８０が正しく取り付けられている場合にのみ、突起状係合部７４、８０と嵌合するように、その位置及び形状が決まっている。
【０２０９】
つまり、４種類のカセット装着部７１のそれぞれの嵌合部９０、９１は、４種類の収納カセット７０のそれぞれに取り付けられる突起状係合部７４、８０の組み合わせパターンに対応する溝パターンとなっている。
【０２１０】
よって、４種類の収納カセット７０Ａ〜７０Ｄは、それぞれ、上述したシール７２の係合部マーク８１に従って突起状係合部７４、８０が正しく取り付けられていれば、対応するカセット装着部７１に、正しく装着できるようになっている。
【０２１１】
［４−２．動作及び効果］
上述したように、第４の実施の形態では、突起状係合部７４の取付部７５の上に重ねてシール７２を張り付けるようにした。
【０２１２】
このシール７２には、突起状係合部７４の取付位置と取付向きを示す、突起状係合部７４を模した係合部マーク８１が印刷されていて、この係合部マーク８１により、収納カセット７０を、どこにどのような向きで取り付ければよいかを一目で確認できるようになっている。
【０２１３】
こうすることで、例えば、収納カセット７０に突起状係合部７４を取り付ける作業者は、４種類の収納カセット７０の種類ごとに決められている取付位置と取付向きを知らなくても、突起状係合部７４を、収納カセット７０の正しい取付位置に正しい取付向きで取り付けることができる。
【０２１４】
また、第４の実施の形態では、シール７２に突起状係合部７４を模した係合部マーク８１を印刷するようにしたことで、第１乃至第３の実施の形態のようにネジ孔と文字で正しい取付位置を認識させるよりも、一段と正確に正しい取付位置を作業者に認識させることができる。
【０２１５】
換言すれば、この第４の実施の形態では、第１乃至第３の実施の形態と比して、より一層確実に、突起状係合部７４を、目的とする取付位置に間違いなく取り付けることができるようになっていると言える。
【０２１６】
［５．他の実施の形態］
［５−１．他の実施の形態１］
尚、上述した第１の実施の形態では、収納カセットの側面に設けられた４箇所の取付部の上方にシールを貼り付けるようにした。
【０２１７】
これに限らず、例えば、図１９（Ａ）に示すように、４箇所の取付部４４Ａ〜４４Ｄをまたぐようにして、各取付部４４Ａ〜４４Ｄの上下のネジ孔４３の間に、シール１００を貼り付けるようにしてもよい。
【０２１８】
この場合、シール１００に印刷されている４種類の文字が、それぞれ対応する取付部４４の上下のネジ孔４３の間に位置することになる為、作業者は、目的とする収納カセット３５の種類と、対応する取付位置を一目で確認できる。
【０２１９】
また、この場合、図１９（Ｂ）に示すように、突起状係合部４２を、取付部４４に取り付けたときに、突起状係合部４２によりシール１００に印刷されている文字が隠れてしまわないように、突起状係合部４２を透ける部材のものとしてもよい。突起状係合部４６についても同様に、透ける部材のものとしてもよい。
【０２２０】
尚、第２乃至第４の実施の形態についても同様に、突起状係合部４２、を透ける部材としてもよい。
【０２２１】
さらに、上述した第２の実施の形態でも、収納カセット５０の側面に設けられた４箇所の取付部の上方にシール５１を貼り付けるようにしたが、これに限らず、図２０に示すように、収納カセット５０の４個の取付部４４の全てを覆う大きさの四角形のシール１１０を、４個の取付部４４の全てを覆う位置に重ねて貼り付けるようにしてもよい。尚、図２０は、一例として、収納カセット５０Ａを示している。
【０２２２】
このシール１１０には、中央部分に、対応する種類を示す文字を印刷するようにして、さらに、４箇所の取付部４４の８個のネジ孔４３（４３Ａ１、４３Ａ２、４３Ｂ１、４３Ｂ２、４３Ｃ１、４３Ｃ２、４３Ｄ１、４３Ｄ２）のそれぞれと重なる８箇所に、ネジマーク１１１（１１１Ａ１、１１１Ａ２、１１１Ｂ１、１１１Ｂ２、１１１Ｃ１、１１１Ｃ２、１１１Ｄ１、１１１Ｄ２）を印刷するようにする。
【０２２３】
さらに、８個のネジマーク１１１のうち、正しい取り付け位置となる取付部４４（例えば取付部４４Ａ）の上下のネジ孔４３（例えばネジ孔４３Ａ１、４３Ａ２）に対応する位置のネジマーク１１１（例えばネジマーク１１１Ａ１、１１１Ａ２）のみを塗り潰されたネジマーク１１１とする。
【０２２４】
これにより、作業者は、目的とする収納カセット５０の種類と、対応する正しい取付位置を一目で確認できる。尚、この場合も、突起状係合部４２は、透ける部材とすることが望ましい。
【０２２５】
また、塗り潰された２個のネジマーク１１１以外の６個のネジマーク１１１については印刷しないようにしてもよい。
【０２２６】
尚、この場合、突起状係合部４２を取り付ける際には、シール１１０に印刷されているネジマーク１１１を、ネジで突き破って取り付けることになる。
【０２２７】
また、正しい取付部４４の２個のネジマーク１１１を塗り潰すのではなく、ネジマーク１１１の内側に円形の孔を設け、この孔から、正しい取付部４４の上下のネジ孔４３が露出するようにしてもよい。
【０２２８】
［５−２．他の実施の形態２］
また、上述した第１の実施の形態では、カセット装着部３２に１個の突起状係合部４２を嵌合し得る大きさの溝でなる嵌合部３３を設け、収納カセット３５の取付部４４に１個の突起状係合部４２を取り付けるようにした。
【０２２９】
これに限らず、例えば、図２１（Ａ）に示すように、収納カセット３５に設けられた４個の取付部４４のうちの３個にそれぞれ１個ずつ突起状係合部４２を取り付けるようにして、カセット装着部３２には、３個の突起状係合部４２を嵌合し得る溝でなる嵌合部１２０を設けるようにしてもよい。
【０２３０】
この場合、例えば、第３カセット装着部３２Ｃに装着する収納カセット３５Ｃには、第３取付部４４Ｃを除く、第１、第２、第４取付部４４Ａ、４４Ｂ、４４Ｄにそれぞれ１個ずつ突起状係合部４２を取り付けるようにする。
【０２３１】
一方、図２１（Ｂ）に示すように、第３カセット装着部３２Ｃには、第１、第２取付部４４Ａ、４４Ｂに取り付けられた２個の突起状係合部４２を嵌合し得る大きさの第１溝１２１Ａと、この第１溝１２１Ａの前側に、突起状係合部４２の幅１個分の間隔を隔てて、第４取付部４４Ｄに取り付けられた１個の突起状係合部４２を嵌合し得る大きさの第２溝１２１Ｂとでなる嵌合部１２０を設けるようにする。
【０２３２】
また、図示しないが、第１カセット装着部３２Ａに装着する収納カセット３５Ａには、第１取付部４４Ａ以外の３つの取付部４４Ｂ、４４Ｃ、４４Ｄにそれぞれ１個ずつ突起状係合部４２を取り付けるようにし、第１カセット装着部３２Ａには、このようにして取り付けられた３個の突起状係合部４２を嵌合する為の嵌合部１２０を設けるようにする。
【０２３３】
さらに、第２カセット装着部３２Ｂに装着する収納カセット３５Ｂには、第２取付部４４Ｂ以外の３つの取付部４４Ａ、４４Ｃ、４４Ｄにそれぞれ１個ずつ突起状係合部４２を取り付け、第２カセット装着部３２Ｂには、このようにして取り付けられた３個の突起状係合部４２を嵌合する為の嵌合部１２０を設けるようにする。
【０２３４】
さらに、第４カセット装着部３２Ｄに装着する収納カセット３５Ｄには、第４取付部４４Ｄ以外の３つの取付部４４Ａ、４４Ｂ、４４Ｃにそれぞれ１個ずつ突起状係合部４２を取り付けるようにし、第４カセット装着部３２Ｄには、このようにして取り付けられた３個の突起状係合部４２を嵌合する為の嵌合部１２０を設けるようにする。
【０２３５】
このような構成によって、図２１（Ｃ）に示すように、カセット装着部３２に装着可能な収納カセット３５を、３個の突起状係合部４２が正しい取付位置に取り付けられているものに限定することができる。
【０２３６】
さらに、この場合、例えば、図２２に示すように、収納カセット３５の４個の取付部４４の全てを覆う大きさの四角形のシール１２２を、４個の取付部４４の全てを覆う位置に重ねて貼り付けるようにする。
【０２３７】
このシール１２２には、貼り付けられたときに、４箇所の取付部４４のそれぞれの上下のネジ孔４３の間に位置する部分に、それぞれの取付部４４に対応する種類を示す文字が印刷されている。
【０２３８】
さらに、このシール１２２には、貼り付けられたときに、４箇所の取付部４４となっている計８個のネジ孔４３（４３Ａ１、４３Ａ２、４３Ｂ１、４３Ｂ２、４３Ｃ１、４３Ｃ２、４３Ｄ１、４３Ｄ２）のそれぞれと対向する部分に、ネジ孔４３を模したネジマーク１２３（１２３Ａ１、１２３Ａ２、１２３Ｂ１、１２３Ｂ２、１２３Ｃ１、１２３Ｃ２、１２３Ｄ１、１２３Ｄ２）が印刷されている。
【０２３９】
つまり、シール１２２には、各取付部４４の上下のネジ孔４３と重なる８箇所にネジマーク１２３が印刷され、さらに各取付部４４を示す上下のネジマーク１２３の間に、各取付部４４に対応する種類を示す文字が印刷されている。
【０２４０】
このシール１２２の場合、目的とする種類の文字以外の文字に対応する３箇所の取付部４４が、目的とする種類に対応する突起状係合部４２の正しいを取付位置であることを示している。
【０２４１】
ゆえに、作業者は、目的とする種類の文字以外の文字に対応する３箇所の取付部４４に、それぞれ文字突起状係合部４２を取り付けることで、目的とする種類に対応する正しい取付位置に突起状係合部４２を取り付けることができる。
【０２４２】
尚、実際に、突起状係合部４２を取り付ける場合、ネジマーク１２３を、ネジで突き破って取り付けることになる。
【０２４３】
また、図２１（Ａ）に示すように、３個の突起状係合部４２を正しい取付位置に取り付けると、シール１２２に印刷されている４種類の文字のうち、その取付位置に対応する種類の文字のみが、突起状係合部４２に覆われることなく露出する。
【０２４４】
ゆえに、作業者は、３個の突起状係合部４２を収納カセット３５に取り付けた後も、その収納カセット３５の種類を容易に特定できる。
【０２４５】
さらに、８個のネジマーク１２３のうち、突起状係合部４２の正しい取付位置である３箇所の取付部４４を示す６個のネジマーク１２３を塗り潰すようにしてもよい。さらに、塗り潰されていない２個のネジマーク１２３については印刷しないようにしてもよい。
【０２４６】
さらに、正しい取付部４４の上下のネジマーク１２３を塗り潰すのではなく、ネジマーク１２３の内側に円形の孔を設け、この孔から、正しい取付部４４の上下のネジ孔４３が露出するようにしてもよい。
【０２４７】
さらに、第４の実施の形態と同様にして、突起状係合部４２を左右方向から見たときの外枠を模した長方形の係合部マーク（図示せず）を、正しい取付位置となる３箇所の取付部と対向する位置にそれぞれ印刷するようにしてもよい。
【０２４８】
このようにすれば、作業者に、４箇所の取付部４４のうちのどの３箇所に突起状係合部４２を取り付ければよいのかを一段と容易且つ確実に認識させることができる。
【０２４９】
［５−３．他の実施の形態３］
さらに、上述した第３の実施の形態では、収納カセット３５に貼り付けるシール６１を、４箇所の取付部４４のうち、正しい取付部４４以外の３箇所を覆う形状とした。
【０２５０】
これに限らず、例えば、図２３（Ａ）に示すように、収納カセット３５に、４箇所の取付部４４のうち、正しい取付位置となる１箇所の取付部４４のみを覆う形状のシール１３０を貼り付けるようにしてもよい。
【０２５１】
このシール１３０には、正しい取付位置となる取付部４４の上下のネジ孔４３と重なる位置に、それぞれ１個ずつ塗り潰されたネジマーク１３１を印刷するようにする。こうすることで、作業者は、塗り潰されたネジマーク１３１で示される取付位置が、突起状係合部４２の正しい取付位置であることを容易に認識できる。
【０２５２】
尚、この場合も、突起状係合部４２を取り付ける際には、シール１３０に印刷されているネジマーク１３１を、ネジで突き破って取り付けることになる。
【０２５３】
さらに、この場合に、第４の実施の形態と同様にして、突起状係合部４２を左右方向から見たときの外枠を模した長方形の係合部マーク１３２を、正しい取付位置となる取付部４４と対向する位置に印刷するようにしてもよい。
【０２５４】
このようにすれば、作業者に、４箇所の取付部４４のうちのどこに突起状係合部４２を取り付ければよいのかを一段と容易且つ確実に認識させることができる。
【０２５５】
また、２個のネジマーク１３１を塗り潰すのではなく、ネジマーク１３１の内側に円形の孔を設け、この孔から、正しい取付部４４の上下のネジ孔４３が露出するようにしてもよい。
【０２５６】
［５−４．他の実施の形態４］
さらに、上述した第２の実施の形態では、シール５１に、突起状係合部４２の正しい取付位置を示すネジマーク５３を印刷するようにした。
【０２５７】
これに限らず、突起状係合部４２の正しい取付位置を示すマークであれば、ネジマーク５３とは異なるマークを印刷するようにしてもよい。この場合のマークとしては、図形であってもよいし、文字であってもよい。
【０２５８】
例えば、塗り潰されたネジマーク５３の変わりに○マークを印刷するとともに、残りのネジマーク５３の変わりに×マークを印刷するなどしてもよいし、塗り潰されたネジマーク５３の変わりに下向きの矢印を印刷するようにして、残りのネジマーク５３については印刷しないようにするなどしてもよい。上述した第４の実施の形態や、他の実施の形態１〜３についても同様である。
【０２５９】
［５−５．他の実施の形態５］
さらに、上述した第１の実施の形態では、左右両側面に突起状係合部４２、４６を取り付ける収納カセット３５に本発明を適用したが、これに限らず、左右両側面のどちらか一方にのみ突起状係合部を取り付ける収納カセットに本発明を適用するようにしてもよい。
【０２６０】
［５−６．他の実施の形態６］
さらに、ここまでの説明では、係合部の具体的な例として、突起状係合部４２、４６、７４、８０を用いるようにしたが、これに限らず、これらと同様に機能するものであれば、これら突起状係合部４２、４６、７４、８０とは異なる係合部を用いるようにしてもよい。
【０２６１】
さらに、ここまでの説明では、標識部の具体的な例として、シール４０、４７、５１、６１、７２、１００、１１０、１２２、１３０を用いるようにしたが、これに限らず、これらと同様に機能するものであれば、シール４０、４７、５１、６１、７２、１００、１１０、１２２、１３０とは異なる標識部を用いるようにしてもよい。
【０２６２】
例えば、収納カセット３５の外面に、シール４０の代わりとなるプラスチック板や金属板を固定するなどしてもよい。尚、当然のことながら、このプラスチック板や金属板にも、シール４０の印刷内容と同様のものが記されているものとする。
【０２６３】
［５−７．他の実施の形態７］
さらに、上述した実施の形態では、本発明を、媒体収納装置としての現金自動預払機１及び紙幣収納ユニット１８に適用したが、本発明は、これに限らず、複数のカセット装着部と、これら複数のカセット装着部のそれぞれに装着される複数の収納カセットを有する媒体収納装置であれば、現金自動預払機１や紙幣収納ユニット１８以外の媒体収納装置に適用してもよい。
【０２６４】
また、上述した実施の形態では、本発明を、紙幣を扱う現金自動預払機１及び紙幣収納ユニット１８に適用したが、これに限らず、紙、切符など、紙幣以外の媒体を扱う媒体処理装置であっても、複数のカセット装着部と、これら複数のカセット装着部のそれぞれに装着される複数の収納カセットを有する媒体収納装置を有する媒体処理装置であれば、適用することができる。
【０２６５】
［５−８．他の実施の形態８］
さらに、本発明は、上述した第１乃至第４の実施の形態と、上述した他の実施の形態とに限定されるものではない。すなわち本発明は、上述した第１乃至第４の実施の形態と上述した他の実施の形態の一部または全部を任意に組み合わせた実施の形態や、一部を抽出した実施の形態にもその適用範囲が及ぶものである。
【産業上の利用可能性】
【０２６６】
本発明は、種々の媒体に対応する収納カセットをカセット装着部に装着して当該媒体を当該収納カセットに収納する種々の装置でも利用できる。
【符号の説明】
【０２６７】
１…………現金自動預払機、１０……紙幣入出金機、１８……紙幣収納ユニット、３２、７１……カセット装着部、３５、５０、６０、７０……収納カセット、４０、４７、５１、６１、７２、１００、１１０、１２２、１３０……シール、４２、４６、７４、８０……突起状係合部、４４、７５……取付部、５３、１１１、１２３、１３１……ネジマーク。
【図１】
2015040113.tif 000003
【図２】
2015040113.tif 000004
【図３】
2015040113.tif 000005
【図４】
2015040113.tif 000006
【図５】
2015040113.tif 000007
【図６】
2015040113.tif 000008
【図７】
2015040113.tif 000009
【図８】
2015040113.tif 000010
【図９】
2015040113.tif 000011
【図１０】
2015040113.tif 000012
【図１１】
2015040113.tif 000013
【図１２】
2015040113.tif 000014
【図１３】
2015040113.tif 000015
【図１４】
2015040113.tif 000016
【図１５】
2015040113.tif 000017
【図１６】
2015040113.tif 000018
【図１７】
2015040113.tif 000019
【図１８】
2015040113.tif 000020
【図１９】
2015040113.tif 000021
【図２０】
2015040113.tif 000022
【図２１】
2015040113.tif 000023
【図２２】
2015040113.tif 000024
【図２３】
2015040113.tif 000025